(57)【要約】【課題】  被介護者に楽に座位を保てる腰掛姿勢補助具を提供する。【解決手段】  腰掛姿勢補助具（１）を、寝床の上に載置する平面視コの字状の載置部（３）と、載置部を寝床に載置状態で取り外し可能に固定する一対のＬ字状固定片（１９）と、を含めて構成する。Ｌ字状固定片各々が載置部を構成する脇支持板各々の開放端面から下方に延びる支持片（１９ａ）と、当該支持片下端から背もたれ板方向に屈曲する差込片（１９ｂ）と、を含めて構成し、寝床上に当該載置部を載置した際に当該差込片を寝床の一方の端面側からベッドと寝床との間に差し込み可能に構成する。寝床上に載置した載置部は、寝床に対して僅かに沈んで横滑りが防止され、Ｌ字状固定片の働きにより寝床に固定される。載置部が、寝床の上に座った被介護者を背面及び両側面から支持するので被介護者が楽に座位を保つことができる。【選択図】  図１
0003121898.tif 000002
【実用新案登録請求の範囲】
【請求項１】
ベッド上の寝床の上に載置して使用する腰掛姿勢補助具において、
寝床の上に載置する載置部と、当該載置部を寝床に載置状態で取り外し可能に固定する固定部と、を含めて構成してあり、
当該載置部が、背もたれ板と、当該背もたれ板の両側にヒンジを介して取り付けた一対の脇支持板と、を含めて構成してあり、
当該固定部が、当該脇支持板各々の開放端面に着脱構造を介して取り付けたＬ字状固定片を含めて構成してあり、
当該背もたれ板と当該脇支持板各々とが上から見たときにコの字状に配置可能に構成してあり、
当該Ｌ字状固定片各々が当該脇支持板の開放端面から下方に延びる支持片と、当該支持片下端から背もたれ板方向に屈曲する差込片と、を含めて構成してあり、
寝床上に当該載置部を載置した際に当該脇支持板各々の開放端面を寝床の一方の端面に臨ませたときに、当該差込片を寝床の一方の端面側からベッドと寝床との間に差し込み可能に構成してある
ことを特徴とする腰掛姿勢補助具。
【請求項２】
前記着脱構造各々が、前記脇支持板に対する前記Ｌ字状固定片の少なくとも縦方向相対位置を変更可能に構成してある
ことを特徴とする請求項１記載の腰掛姿勢補助具。
【請求項３】
前記脇支持板各々の幅寸法が、前記背もたれ板の幅寸法よりも短く設定してあり、
前記ヒンジ各々の働きによって、当該脇支持板各々と当該背もたれ板の三者が、折り畳み可能に構成してある
ことを特徴とする請求項１又は２記載の腰掛姿勢補助具。
【請求項４】
前記背もたれ板の高さ寸法が前記脇支持板各々の高さ寸法よりも余剰部分だけ高く設定してあり、
当該余剰部分には、手先を挿入可能な貫通孔を形成してあり、
当該背もたれ板と当該両脇支持板とを折り畳んだときに当該貫通孔に手先を挿入可能に構成してある
ことを特徴とする請求項３記載の腰掛姿勢補助具。
【請求項５】
前記脇支持板の開放端面各々には、着脱構造の一方側を設けてあり、
当該着脱構造の他方側を有するテーブル板を当該脇支持板各々に着脱可能に構成してある
ことを特徴とする請求項１乃至５いずれか記載の腰掛姿勢補助具。
【考案の詳細な説明】
【技術分野】
【０００１】
本考案は、ベッドの寝床上に座らせた患者の姿勢、すなわち、座位を保たせるための腰掛姿勢補助具に関するものである。
【背景技術】
【０００２】
床に就く時間の長い被介護者を、リハビリテーションのためにベッドの上に座らせることがよく行われる。具体的には、寝床の縁に尻を載せ、足を縁から下に下ろした状態の座位を、被介護者に所定時間続けさせる。被介護者に座位を続けさせることはリハビリテーションの手段として極めて有効である。また、食事の際に、寝床の上で上記同様の座位を取らせることもある。ところが、被介護者にとって座位を続けることは必ずしも簡単なことではない。特に、体力が低下した被介護者や体力が回復していない被介護者の場合は、自分の体を支えきれずにバランスを失い、転倒の恐れさえある。そのような事態を改善するために提案されたのが、特許文献１に記載された介護用背もたれ器具（以下、「第１の従来器具」という）や、特許文献２に記載された腰掛け姿勢補助具（以下、「第２の従来器具」という）である。第１の従来器具は、底板と、この底板の一辺にヒンジ固定された立て板と、底板に対して立て板を鋭角に保持するためのコ字形支柱と、により概略構成されている。底板は床の上に置かれ、床面との間の滑り止めのために底板下面には滑り止めマップが設けられている。立て板は、被介護者の背もたれとして使用される。すなわち、被介護者は立て板に対して底板と反対側に座り足を伸ばした状態で、立て板に背中をもたらせることになる。他方、第２の従来器具は、床に設置したベース部と、ベース部から起立する柱部と、柱部上端に設けられたＵ字状のハンドル部と、を備えている。ハンドル部は被介護者の腹部を支持するためのものであり、柱部は被介護者に両膝又は両腿で挟ませるためのものである。いずれも、被介護者の身体を支持することを目的とする。
【特許文献１】特開平９−２４８３２１号公報（段落０００５以下、図１参照）
【特許文献２】特開平１１−９９１８５号公報（段落００２１、図１参照）
【考案の開示】
【考案が解決しようとする課題】
【０００３】
しかしながら、上記の従来技術を単独又は組み合わせたとしても、次の問題が未解決である。すなわち、第１の従来器具であればベッドの上に載置可能であろうし、被介護者の上半身を前後方向に安定させることはできるであろう。しかし、第１の従来器具は、被介護者の上半身を横方向に支持する機能は有しない。したがって、被介護者を座位させておくには不十分である。これに加え、第１の従来器具は寝床（ベッド）に対して固定するための機能を備えていないから、器具が単独で、又は、被介護者とともに転倒してしまう恐れが強い。このため、ベッドの縁に座った被介護者は、転倒を防ぐために上半身を硬直させる必要がある。これでは、楽な座位を被介護者に提供することができない。これが、未解決な第１の問題点である。他方、第２の従来器具によれば、被介護者の腹部を支持して、一応、上半身を支持することができる。しかし、第２の従来器具は、床に設置することを前提とした器具であるから、あまりにも大型で寝床の上で使用するには適さない。器具をできるだけコンパクトなものにして使い勝手をよくすること。これが、未解決な第２の問題点である。
【課題を解決するための手段】
【０００４】
考案者は、長年にわたる介護の経験を持ち、その間、被介護者が座位する際に難儀していることを肌で感じていた。そのような状況を改善しようと考えた考案者は、被介護者の立ち振る舞いを常に細やかに観察し被介護者の要求に耳を傾け続けた。試行錯誤を繰り返した結果、考案者は、被介護者に楽な座位を提供し得るとともにコンパクトで使い勝手のよい腰掛姿勢補助具を開発することに成功した。その詳しい構成については、項を改めて説明する。なお、いずれかの請求項に係る考案を説明するに当たって行う用語の定義等は、その性質上可能な範囲において他の請求項に係る考案にも適用されるものとする。
【０００５】
（請求項１記載の考案の特徴）
請求項１記載の考案に係る腰掛姿勢補助具（以下、適宜「請求項１の補助具」という）は、ベッド上の寝床の上に載置して使用する補助具であり、寝床の上に載置する載置部と、当該載置部を寝床に載置状態で取り外し可能に固定する固定部と、を含めて基本的に構成してある。ここで、当該載置部は、背もたれ板と、当該背もたれ板の両側にヒンジを介して取り付けた一対の脇支持板と、を含めて構成してあり、当該固定部が、当該脇支持板各々の開放端面に着脱構造を介して取り付けたＬ字状固定片を含めて構成してある。さらに、当該背もたれ板と当該脇支持板各々とが上から見たときにコの字状に配置可能に構成してあり、当該Ｌ字状固定片各々が当該脇支持板の開放端面から下方に延びる支持片と、当該支持片下端から背もたれ板方向に屈曲する差込片と、を含めて構成してある。寝床上に当該載置部を載置した際に当該脇支持板各々の開放端面を寝床の一方の端面に臨ませたときに、当該差込片を寝床の一方の端面側からベッドと寝床との間に差し込み可能に構成してある。なお、「寝床」とは、横たわる被介護者が下敷きにするもの一切を含み、たとえば、ベッドの上に置かれた、マット、マットカバー、布団、電気敷き毛布等を単独で又は併せて構成したもののことをいう。
【０００６】
請求項１の補助具によれば、補助具を使用する際には、載置部が寝床上にその一方の端面に臨む状態で載置され、載置された載置部は固定部によって寝床上に固定される。使用を終えた際の載置部は、固定部の取り外しにより寝床上から取り外すことができる。両脇支持板は、ヒンジの働きにより背もたれ板に対して開閉する。この開閉が、補助具不使用時の折り畳みを可能にし、使用時のコの字状態を実現する。コの字状態に開いた載置部は、柔らかい寝床に対して僅かに沈むが極端に沈むことはない。この寝床に対する僅かな沈みは寝床に対する載置部の横滑りを防ぐ。他方、載置された載置部は、固定部によって固定される。具体的には、寝床の一方の端面側から寝床とベッドとの間に差し込まれた両差込片が、両支持片を介して両脇支持板（の開放端面）を寝床に対して固定する。ここで、たとえば被介護者の体重が加わることにより、寝床上にある載置部が水平方向に回転させられようとしたとき、上述した載置部全体の沈みによる横滑り防止作用に加え、寝床端面への固定部の引っ掛かりが、その回転を阻止する。また、ベッドの長手方向から見た脇支持板下端とＬ字状固定片とは、寝床を挟んだコの字状になっている。このため、寝床の一方の端面方向に前のめりする方向の力が載置部に働いても、上記Ｌ字状固定片は寝床に押さえられてベッドに対して浮き上がらないから、上記方向の力に打ち勝って載置部を寝床上に安定的に保持する。これとは逆に、反り返り方向の力を載置部が受けても、上記同様の理由からＬ字状固定片の浮き上がりが防止されるから、Ｌ字状固定片は寝床上で同じく安定的に載置部を保持する。両脇支持板に対するもたれ方向の力が加えられた際にも、上記同様のＬ字状固定片の浮き上がり防止作用によって、安定した載置部保持が行われる。以上、説明したように、寝床上に安定載置された載置部は、その背もたれ板が座位する被介護者上半身を背面方向から支え、両脇支持板が同じく左右から支える。さらに、載置部の前のめり、反り返り、さらにまた、横ずれや水平方向回転に対して、これらを確実に防止する。したがって、請求項１の補助具に補助された被介護者は、寝床の一方の縁から一方の端面に沿って足を下ろした状態で寝床上に安定した姿勢で座り続けることができる。
【０００７】
（請求項２記載の考案の特徴）
請求項２記載の考案に係る腰掛姿勢補助具（以下、適宜「請求項２の補助具」という）には、請求項１の補助具の基本構成と同じ構成を備えさせた上で、前記着脱構造各々が、前記脇支持板に対する前記Ｌ字状固定片の少なくとも縦方向相対位置を変更可能に構成してある。縦方向に併せて横方向の相対位置を変更可能に構成することを妨げない。
【０００８】
請求項２の補助具によれば、請求項１の補助具の作用効果に加え、脇支持板に対するＬ字状固定片の縦方向相対位置を変更することができる。縦方向以外の方向の相対位置を併せて変更可能に構成してある場合は、当該方向の相対位置も併せて変更することができる。縦方向相対位置を変更することによって、脇支持板とＬ字状固定片との間の距離を増減することが可能になり、同距離を増減することによって寝床の厚みに合わせた相対位置を設定することができる。また、ある寝床に使用していた補助具を、上記相対位置を調整することにより当該寝床とは異なる厚みの他の寝床にも適切な状態で使用することができる。すなわち、補助具に汎用性を持たすことが可能になる。
【０００９】
（請求項３記載の考案の特徴）
請求項３記載の考案に係る腰掛姿勢補助具（以下、適宜「請求項３の補助具」という）には、請求項１又２の基本構成と同じ構成を備えさせた上で、前記脇支持板各々の幅寸法が、前記背もたれ板の幅寸法よりも短く設定してあり、前記ヒンジ各々の働きによって、当該脇支持板各々と当該背もたれ板の三者が、折り畳み可能に構成してある。
【００１０】
請求項３の補助具によれば、請求項１又は２の補助具の作用効果に加え、上記三者を折り畳み可能に構成したことにより、補助具（載置部）をコンパクト化することができる。載置部から固定部を取り外せば、補助具はさらにコンパクトなものとなる。使用しないときの補助具は邪魔になりやすいので、コンパクト化しておくことにより不使用時の補助具の使い勝手をさらによくすることができる。
【００１１】
（請求項４記載の考案の特徴）
請求項４記載の考案に係る腰掛姿勢補助具（以下、適宜「請求項４の補助具」という）には、請求項３の補助具の基本構成と同じ構成を備えさせた上で、前記背もたれ板の高さ寸法が前記脇支持板各々の高さ寸法よりも余剰部分だけ高く設定してあり、当該余剰部分には、手先を挿入可能な貫通孔を形成してあり、当該背もたれ板と当該両脇支持板とを折り畳んだときに当該貫通孔に手先を挿入可能に構成してある。
【００１２】
請求項４の補助具によれば、請求項３の補助具の作用効果に加え、折り畳んだ状態の載置部が持ち運びやすくなる。すなわち、折り畳んだときの余剰部分は、両脇支持板によって覆われずに上に抜け出した状態にある。そのような状態にある余剰部分には貫通孔が形成されているから、その貫通孔に手先を挿入することができる。手先を挿入できれば、挿入したまま手を持ち上げることによって載置部を吊り下げることができる。すなわち、載置部を片手で簡単に持ち運ぶことができる。
【００１３】
（請求項５記載の考案の特徴）
請求項５記載の考案に係る腰掛姿勢補助具（以下、適宜「請求項５の補助具」という）には、請求項１乃至５いずれかの補助具の基本構成と同じ構成を備えさせた上で、前記脇支持板の開放端面各々には、着脱構造の一方側を設けてあり、当該着脱構造の他方側を有するテーブル板を当該脇支持板各々に着脱可能に構成してある。
【００１４】
請求項５の補助具によれば、請求項１乃至５いずれかの補助具の作用効果に加え、テーブル板を取り付けることによって、その上に、たとえば、食器類やタオル等の身の回り品を載せておくことができるので、たいへん便利である。テーブル板は、不要であれば取り付ける必要はなく、また、使用後に取り外すことができる。したがって、補助具をしまうときに邪魔にならない。
【考案の効果】
【００１５】
本考案によれば、被介護者に楽な座位を提供し得るとともにコンパクトで使い勝手のよい腰掛姿勢補助具を提供することができる。
【考案を実施するための最良の形態】
【００１６】
各図を参照しながら、本考案を実施するための最良の形態（以下、適宜「本実施形態」という）について説明する。図１は、本考案に係る腰掛姿勢補助具（以下、「補助具」という）の使用状況を示す斜視図である。図２は、補助具の斜視図である。図３は、折り畳んだ状態の補助具の斜視図である。図４は、脇支持板とＬ字状固定片とを固定する着脱構造を示す（ａ）正面拡大図、（ｂ）縦断面図である。図５は、付加的機能を設けた補助具の斜視図である。図６は、補助具の使用手順例を示す概略図である。
【００１７】
（補助具の概略構造）
図１乃至４を参照しながら、補助具の概略構造について説明する。補助具１はベッド１０１上の寝床１１１の上に載置して使用するように構成してある。ベッド１０１は、載置台１０３と、載置台１０３を下方から支持する脚部１０５と、から構成されている。つまり、寝床１１１は、ベッド１０１の一部を構成する載置台１０３の上に置かれている。補助具１は、寝床１１１の上に載置する載置部３と、載置部３を寝床１１１に載置状態で取り外し可能に固定する固定部５と、を含めて構成してある。
【００１８】
（載置部の具体的構造）
図１乃至３を参照しながら、載置部３の具体的構造について説明する。載置部３は、背もたれ板１１と、背もたれ板１１の両側にヒンジ１１ｇ，・・を介して取り付けた一対の脇支持板１３，１３と、から概ね構成してある。上記一対の脇支持板１３，１３の一方の脇支持板１３と他方の脇支持板１３とは、同一形状に形成してあり両者異なる点がない。したがって、以下の説明は、一方の脇支持板１３について行い、他方の脇支持板１３の説明は可能な限り省略する（後述するＬ字状固定片１９も同じ）。各ヒンジ１１ｇは、背もたれ板１１に対して各脇支持板１３を開閉可能、かつ、上から見たときの載置部３をコの字状に開かせて寝床１１１上に載置可能、さらには、載置部３全体を折り畳み可能とするためのものである。背もたれ板１１は、矩形部分１１ａと、矩形部分１１ａの上端に形成したアーチ状の余剰部分１１ｂと、を含むが、矩形部分１１ａと余剰部分１１ｂとは、一枚の木製板により構成してある。背もたれ板１１の全体は、標準的な被介護者の体格に合わせ、もたれた被介護者の上半身を支え得る十分な高さ寸法及び幅寸法に形成する。背もたれ板１１の厚み寸法は、寝床に対する沈み具合や全体重量を考慮して定めるとよい。本実施形態では、ほぼ２０ｍｍに設定した。
【００１９】
符号１１ｈは、余剰部分１１ｂを貫通する貫通孔を示す。貫通孔１１ｈは、載置部３を持ち運び等する際に手先を差し入れるための孔である。各脇支持板１３は、背もたれ板１１の矩形部分１１ａとほぼ同じ高さ寸法と、矩形部分１１ａより僅かに短い幅寸法と、を有している。脇支持板１３の高さ寸法を上記のとおり設定したのは、折り畳んだときに脇支持板１３の上端から余剰部分１１ｂ分だけ突き出させ、突き出させることにより上記貫通孔１１ｈに手先を差し入れられるようにするためである。また、幅寸法を上記のとおり設定したのは、ヒンジ１１ｇの開閉機能によって折り畳んだときに、折り畳んだ一方の脇支持板１３の側端を他方の脇支持板１３にまで届かせないようにするためである。届かせないようにしたのは、届かせてしまうと折り畳みに支障が出て、載置部３を十分にコンパクト化できないからである。なお、符号１３ａは、脇支持板１３の開放端面を示す。各脇支持板１３の開放端面１３ａの上端部には、図２に示すように、安全確保のために丸みを形成しておくとよい。
【００２０】
（固定部の具体的構造）
図１、２及び４を参照しながら、固定部について説明する。固定部５は、細長い薄板をＬ字状に屈曲させたＬ字状固定片１９を主要部材として構成してある。Ｌ字状固定片１９は、Ｌ字の縦部分を構成する支持片１９ａと、支持片１９ａの下端から屈曲された差込片１９ｂと、有しており、全体を金属（本実施形態では、アルミニウム）により構成してある。各支持片１９ａの上部には、縦ならびに複数の取付孔１９ｈ，・・を貫通形成してある。各取付孔１９ｈは、小孔１９ｈａと大孔１９ｈｂとを連結させ瓢箪類似の形状に形成してあり、後述する着脱構造１７の一部を構成する。小孔１９ｈａと大孔１９ｈｂの上下方向位置関係は図示のものと逆でもよいし、可能であれば、両者を横方向に並べてもよい。本実施形態におけるＬ字状固定片１９は、上述したようにアルミニウム製の細い薄板により構成してあるが、他の構成の採用を妨げるものではない。ただ、差込片１９ｂは、寝床１１１とベッド１０１の載置台１０３との間に差し込み、そこから抜き取ることのできる形状である必要がある。支持片１９ａは、差込片１９ｂと脇支持板１３とを連結し必要な強度を備えるものであれば、その形状や材質等に何ら制限はない。たとえば、部分的に湾曲したり、幅寸法が変化した支持片、板状ではなくパイプ状に形成した支持片、も十分に使用可能である。
【００２１】
（着脱構造の詳細）
図２及び４を参照しながら、着脱構造１７の詳細について説明する。着脱構造１７は、Ｌ字状固定片１９（支持片１９ａ）を脇支持板１３の開放端面１３ａに取り外しできるように取り付けるためのものである。支持片１９ａに形成した複数の（本実施形態では５個）取付孔１９ｈ，・・は、着脱構造１７の一部を構成する。この点は、前述した。取付孔１９ｈ，・・とともに着脱構造１７を構成する他の部分は、開放端面１３ａに固定した複数（本実施形態では３個）のロック片１３ｐ，・・である。ロック片１３ｐは、図４（ｂ）に示すように、開放端面１３ａに対して直立する支持ピン１３ｐ１と、支持ピン１３ｐ１の頂部に固定した引っ掛け円板１３ｐ２と、から構成してあり、引っ掛け円板１３ｐ２と開放端面１３ａとの間には、支持片１９ａの厚み寸法と同じ若しくは僅かに小さな寸法の間隙１９ｇ（図４（ｂ）参照）を確保してある。間隙１９ｇは、そこに支持片１９ａの一部を受け入れ、受け入れた一部を引っ掛け円板１３ｐ２と開放端面１３ａとにより挟持させるためのものである。この挟持は、Ｌ字状固定片１９全体を脇支持板１３に固定するための機能である。他方、支持ピン１３ｐ１の外径は小孔１９ｈａの内径よりも小さく、引っ掛け円板１３ｐ２の外径は大孔１９ｈｂの内径よりも小さく小孔１９ｈａの内径よりも大きく形成してある。したがって、引っ掛け円板１３ｐ２を大孔１９ｈｂに通過させた後、支持片１９ａを引き下げると大孔１９ｈｂ内にあった支持ピン１３ｐ１が小孔１９ｈａ内に移動する。支持片１９ａは、間隙１９ｇ内を横滑り移動する。支持ピン１３ｐ１が小孔１９ｈａ内にあるとき引っ掛け円板１３ｐ２は小孔１９ｈａを塞ぐ位置にあり支持片１９ａを引っ掛けて支持片１９ａの厚み方向の外れを阻止する。支持片１９ａの上下方向の外れは、引っ掛け円板１３ｐ２と開放端面１３ａとの間の挟持によって阻止される。上記２方向の外れ阻止が相俟って、固定が行われる。固定解除は、上記手順と逆に、支持片１９ａを押し上げることによって行うことができる。取付孔１９ｈ間の間隔は一定にしてあり、これに合わせてロック片１３ｐ間の間隔も一定にしてある。間隔を合わせたことにより、複数（たとえば、３個）の取付孔１９ｈ，・・を同時に同数のロック片１３ｐ，・・に固定し、また、その解除を行うことができる。差込片１９ｂは、支持片１９ａに対して背もたれ板１１方向、つまり、脇支持板１３の下端とＬ字状固定片１９とによってコの字ができる方向に突き出すように、Ｌ字状固定片１９を開放端面１３ａに固定する。
【００２２】
（付加的機能）
図５を参照しながら、本実施形態に適用可能な付加的機能について説明する。この付加的機能とは、座位を保たせるための補助具に持たせた、食器類や身の回り品等を置くためのテーブル機能のことをいう。あくまでも任意の機能である。そのような機能を発揮させるための構造は、次のとおりである。すなわち、これまで説明した載置部３の脇支持板１３，１３の開放端面１３ａと後述するテーブル板２５との間に一対の着脱構造２９，２９を設け、補助具１に対してテーブル板２５を自由に取り付け取り外しできるように構成してある。テーブル板２５は、コの字状に開いた載置部３の両脇支持板１３，１３間の距離よりも長い幅寸法と、テーブルとして必要な奥行き寸法を有するテーブル板本体２６と、テーブル板本体２６の下面に固定した２本のＬ字棒２７，２７と、により構成してある。Ｌ字棒２７，２７同士は、互いに平行に配置してあり、各Ｌ字棒２７は、テーブル板本体２６に固定する固定片２７ａと、固定片２７ａの脇支持板１３側先端から下方に屈曲する差込片２７ｂと、により構成してある。上述した一対の着脱構造２９，２９は、互いに同じ構造を有しているため、以下の説明は、一方の着脱構造についてのみ行う。差込片２７ｂは、着脱構造２９の一方側を構成し、同じく他方側は、次に述べる支持パイプ２３により構成される。支持パイプ２３は、開放端面１３ａに、鉛直方向に固定してあり、上から差込片２７ｂを差し込み抜き取りできるようになっている。差し込まれた差込片２７ｂの付け根、すなわち、固定片２７ａとの間の屈曲部近傍が支持パイプ２３の上端にぶつかって、それ以上差し込むことができなくなる。この状態を左右の着脱構造２９，２９において行うことにより、テーブル板２５が載置部３に固定される。テーブル板２５の取り外しは、上記固定手順と逆の手順で行う。テーブル板２５を取り付けることによって、その上に、たとえば、食器類やタオル等の身の回り品を載せておくことができるので、たいへん便利である。テーブル板２５は、不要であれば取り付ける必要はなく、また、使用後に取り外すことができる。したがって、補助具をしまうときに邪魔にならない。
【００２３】
（補助具の使用手順例）
図１乃至４及び６を参照しながら、補助具の使用手順例を説明する。使用に先立ち、載置部３と固定部５（Ｌ字状固定片１９）とは、取り外しておく。ここで、図６（ａ）に示すように、寝床１１１の上に寝ている被介護者の足元に一方の脇支持板１３を置き、同時に、この一方の脇支持板１３に対して背もたれ板１１をほぼ直角に曲げ被介護者の体に沿って置く。他方の脇支持板１３は、背もたれ板１１の延長線上に置く。すなわち、前者と後二者とにより、寝床１１１上でＬ字を形成する。これで、寝床１１１上への載置部３の載置を完了する。次に、図６（ｂ）に示すように、一方の脇支持板１３に一方のＬ字状固定片１９を取り付ける。具体的には、上記Ｌ字状固定片１９の差込片１９ｂを寝床１１１とベッド１０１の載置台１０３との間に差し込み、支持片１９ａを寝床１１１の一方の端面１１１ａに近づけつつ着脱構造１７を使って、Ｌ字状固定片１９を脇支持板１３に固定する。固定するときは、Ｌ字状固定片１９を引き下げる（脇支持板１３は寝床１１１に支持され動かない）か、その代わりにＬ字状固定片１９を動かないようにして脇支持板１３を持ち上げるようにしてもよい。
【００２４】
次は、被介護者を起こすことを行う。寝床１１１の一方の端面１１１ａに面して立った介護者（図示を省略）は、被介護者の頭を左手で持ち上げながら、同じく足を右手で手前方向に回転させて被介護者を寝床１１１の縁に座らせる。このとき被介護者の両足は、一方の端面１１１ａに沿って下ろした状態にある。ここで、介護者は右手で被介護者の上半身を支えなら左手で他方の脇支持板１３を、矢印で示すように反時計回り方向に回転させ、上から見てコの字の載置部３を形成する（図６（ｃ））。被介護者は、コの字に囲まれた状態で座っている。最後に、他方の脇支持板１３に他方のＬ字状固定片１９を取り付けて、補助具１の設置を完了する。使用後の補助具１は、被介護者の姿勢を保ちつつＬ字状固定片１９，１９を取り外し、さらに、載置部３を寝床１１１の上から取り去ることにより設置解除することができる。
【００２５】
（実施形態特有の効果）
補助具１を使用する際には、載置部３が寝床１１１上にその一方の端面１１１ａに臨む状態で載置され、載置された載置部３は固定部５，５によって寝床１１１上に固定される。使用を終えた際の載置部は、固定部の取り外しにより寝床上から取り外すことができる。コの字状態に開いた載置部３は、柔らかい寝床１１１に対して僅かに沈むが極端に沈むことはない。この寝床１１１に対する僅かな沈みは寝床に対する載置部３の横滑りを防ぐ。他方、載置された載置部３は、固定部５（Ｌ字状固定片１９）によって固定される。具体的には、寝床１１１の一方の端面１１１ａ側から寝床１１１とベッド１０１の載置台１０３との間に差し込まれた両差込片１９ｂ，１９ｂが、両支持片１９ａ，１９ａを介して両脇支持板１３（の開放端面１３ａ）を寝床１１１に対して固定する。ここで、たとえば、被介護者がもたれることによって背もたれ板１１やいずれかの脇支持板１３に力が加えられても、Ｌ字状固定片１９，１９は寝床１１１に押さえられてベッド１０１に対して浮き上がらないから、上記の力に打ち勝って載置部３を寝床１１１上に安定的に保持する。したがって、補助具１に補助された被介護者は、寝床１１１の一方の縁から一方の端面１１１ａに沿って足を下ろした状態で寝床１１１上に安定した姿勢で座り続けることができる。
【００２６】
（各部材の変形可能性）
本実施形態に示した載置部３は、いずれも木製の板によって構成してあるが、載置部の機能を損なわなければ、板以外の板状部材を採用することを妨げない。背もたれ板及び各脇支持板の全部又はいずれかを、図示は省略するが、たとえば、アルミパイプにより構成したフレームと、フレームに囲まれた部分を合成樹脂ベルトを編みこんだメッシュによって構成することができる。さらに、Ｌ字状固定片１９を、本実施形態ではアルミニウム製の単一部材により構成したが、支持片と差込片とを別部材で構成し使用に当たって両者を結合させるように構成してもよい。Ｌ字状固定片を、さらに分割可能にすることにより、コンパクト化を図ることができるからである。また、背もたれ板と両脇支持板とを連結するヒンジ１１ｇを離脱可能に構成することにより、上記三者を別々に収納することが可能になる。収納場所の状況に合わせた収納形態を選択できれば便利だからである。
【図面の簡単な説明】
【００２７】
【図１】本考案に係る補助具の使用状況を示す斜視図である。
【図２】補助具の斜視図である。
【図３】折り畳んだ状態の補助具の斜視図である。
【図４】脇支持板とＬ字状固定片とを固定する着脱構造を示す（ａ）正面拡大図、（ｂ）縦断面図である。
【図５】付加的機能を設けた補助具の斜視図である。
【図６】補助具の使用手順例を示す概略図である。
【符号の説明】
【００２８】
１          補助具
３          載置部
５          固定部
１１          背もたれ板
１１ａ        矩形部分
１１ｂ        余剰部分
１１ｇ        ヒンジ
１１ｈ        貫通孔
１３          脇支持板
１３ａ        開放端面
１３ｐ        ロック片
１３ｐ１      支持ピン
１３ｐ２      引っ掛け円板
１７          着脱構造
１９          Ｌ字状固定片
１９ａ        支持片
１９ｂ        差込片
１９ｇ        間隙
１９ｈ        取付孔
１９ｈａ      小孔
１９ｈｂ      大孔
２３          支持パイプ
２５          テーブル板
２６          テーブル板本体
２７          Ｌ字棒
２７ａ        固定片
２７ｂ        差込片
２９          着脱構造
１０１          ベッド
１０３          載置台
１０５          脚部
１１１          寝床
１１１ａ        端面
【図１】
0003121898.tif 000003
【図２】
0003121898.tif 000004
【図３】
0003121898.tif 000005
【図４】
0003121898.tif 000006
【図５】
0003121898.tif 000007
【図６】
0003121898.tif 000008
【手続補正書】
【提出日】平成18年3月20日(2006.3.20)
【手続補正１】
【補正対象書類名】実用新案登録請求の範囲
【補正対象項目名】全文
【補正方法】変更
【補正の内容】
【実用新案登録請求の範囲】
【請求項１】
ベッド上の寝床の上に載置して使用する腰掛姿勢補助具において、
寝床の上に載置する載置部と、当該載置部を寝床に載置状態で取り外し可能に固定する固定部と、を含めて構成してあり、
当該載置部が、背もたれ板と、当該背もたれ板の両側にヒンジを介して取り付けた一対の脇支持板と、を含めて構成してあり、
当該固定部が、当該脇支持板各々の開放端面に着脱構造を介して取り付けたＬ字状固定片を含めて構成してあり、
当該背もたれ板と当該脇支持板各々とが上から見たときにコの字状に配置可能に構成してあり、
当該Ｌ字状固定片各々が当該脇支持板の開放端面から下方に延びる支持片と、当該支持片下端から背もたれ板方向に屈曲する差込片と、を含めて構成してあり、
寝床上に当該載置部を載置した際に当該脇支持板各々の開放端面を寝床の一方の端面に臨ませたときに、当該差込片を寝床の一方の端面側からベッドと寝床との間に差し込み可能に構成してある
ことを特徴とする腰掛姿勢補助具。
【請求項２】
前記着脱構造各々が、前記脇支持板に対する前記Ｌ字状固定片の少なくとも縦方向相対位置を変更可能に構成してある
ことを特徴とする請求項１記載の腰掛姿勢補助具。
【請求項３】
前記脇支持板各々の幅寸法が、前記背もたれ板の幅寸法よりも短く設定してあり、
前記ヒンジ各々の働きによって、当該脇支持板各々と当該背もたれ板の三者が、折り畳み可能に構成してある
ことを特徴とする請求項１又は２記載の腰掛姿勢補助具。
【請求項４】
前記背もたれ板の高さ寸法が前記脇支持板各々の高さ寸法よりも余剰部分だけ高く設定してあり、
当該余剰部分には、手先を挿入可能な貫通孔を形成してあり、
当該背もたれ板と当該両脇支持板とを折り畳んだときに当該貫通孔に手先を挿入可能に構成してある
ことを特徴とする請求項３記載の腰掛姿勢補助具。
【請求項５】
前記脇支持板の開放端面各々には、着脱構造の一方側を設けてあり、
当該着脱構造の他方側を有するテーブル板を当該脇支持板各々に着脱可能に構成してある
ことを特徴とする請求項１乃至４いずれか記載の腰掛姿勢補助具。
【手続補正２】
【補正対象書類名】明細書
【補正対象項目名】全文
【補正方法】変更
【補正の内容】
【考案の詳細な説明】
【技術分野】
【０００１】
本考案は、ベッドの寝床上に座らせた患者の姿勢、すなわち、座位を保たせるための腰掛姿勢補助具に関するものである。
【背景技術】
【０００２】
床に就く時間の長い被介護者を、リハビリテーションのためにベッドの上に座らせることがよく行われる。具体的には、寝床の縁に尻を載せ、足を縁から下に下ろした状態の座位を、被介護者に所定時間続けさせる。被介護者に座位を続けさせることはリハビリテーションの手段として極めて有効である。また、食事の際に、寝床の上で上記同様の座位を取らせることもある。ところが、被介護者にとって座位を続けることは必ずしも簡単なことではない。特に、体力が低下した被介護者や体力が回復していない被介護者の場合は、自分の体を支えきれずにバランスを失い、転倒の恐れさえある。そのような事態を改善するために提案されたのが、特許文献１に記載された介護用背もたれ器具（以下、「第１の従来器具」という）や、特許文献２に記載された腰掛け姿勢補助具（以下、「第２の従来器具」という）である。第１の従来器具は、底板と、この底板の一辺にヒンジ固定された立て板と、底板に対して立て板を鋭角に保持するためのコ字形支柱と、により概略構成されている。底板は床の上に置かれ、床面との間の滑り止めのために底板下面には滑り止めマップが設けられている。立て板は、被介護者の背もたれとして使用される。すなわち、被介護者は立て板に対して底板と反対側に座り足を伸ばした状態で、立て板に背中をもたらせることになる。他方、第２の従来器具は、床に設置したベース部と、ベース部から起立する柱部と、柱部上端に設けられたＵ字状のハンドル部と、を備えている。ハンドル部は被介護者の腹部を支持するためのものであり、柱部は被介護者に両膝又は両腿で挟ませるためのものである。いずれも、被介護者の身体を支持することを目的とする。
【特許文献１】特開平９−２４８３２１号公報（段落０００５以下、図１参照）
【特許文献２】特開平１１−９９１８５号公報（段落００２１、図１参照）
【考案の開示】
【考案が解決しようとする課題】
【０００３】
しかしながら、上記の従来技術を単独又は組み合わせたとしても、次の問題が未解決である。すなわち、第１の従来器具であればベッドの上に載置可能であろうし、被介護者の上半身を前後方向に安定させることはできるであろう。しかし、第１の従来器具は、被介護者の上半身を横方向に支持する機能は有しない。したがって、被介護者を座位させておくには不十分である。これに加え、第１の従来器具は寝床（ベッド）に対して固定するための機能を備えていないから、器具が単独で、又は、被介護者とともに転倒してしまう恐れが強い。このため、ベッドの縁に座った被介護者は、転倒を防ぐために上半身を硬直させる必要がある。これでは、楽な座位を被介護者に提供することができない。これが、未解決な第１の問題点である。他方、第２の従来器具によれば、被介護者の腹部を支持して、一応、上半身を支持することができる。しかし、第２の従来器具は、床に設置することを前提とした器具であるから、あまりにも大型で寝床の上で使用するには適さない。器具をできるだけコンパクトなものにして使い勝手をよくすること。これが、未解決な第２の問題点である。
【課題を解決するための手段】
【０００４】
考案者は、長年にわたる介護の経験を持ち、その間、被介護者が座位する際に難儀していることを肌で感じていた。そのような状況を改善しようと考えた考案者は、被介護者の立ち振る舞いを常に細やかに観察し被介護者の要求に耳を傾け続けた。試行錯誤を繰り返した結果、考案者は、被介護者に楽な座位を提供し得るとともにコンパクトで使い勝手のよい腰掛姿勢補助具を開発することに成功した。その詳しい構成については、項を改めて説明する。なお、いずれかの請求項に係る考案を説明するに当たって行う用語の定義等は、その性質上可能な範囲において他の請求項に係る考案にも適用されるものとする。
【０００５】
（請求項１記載の考案の特徴）
請求項１記載の考案に係る腰掛姿勢補助具（以下、適宜「請求項１の補助具」という）は、ベッド上の寝床の上に載置して使用する補助具であり、寝床の上に載置する載置部と、当該載置部を寝床に載置状態で取り外し可能に固定する固定部と、を含めて基本的に構成してある。ここで、当該載置部は、背もたれ板と、当該背もたれ板の両側にヒンジを介して取り付けた一対の脇支持板と、を含めて構成してあり、当該固定部が、当該脇支持板各々の開放端面に着脱構造を介して取り付けたＬ字状固定片を含めて構成してある。さらに、当該背もたれ板と当該脇支持板各々とが上から見たときにコの字状に配置可能に構成してあり、当該Ｌ字状固定片各々が当該脇支持板の開放端面から下方に延びる支持片と、当該支持片下端から背もたれ板方向に屈曲する差込片と、を含めて構成してある。寝床上に当該載置部を載置した際に当該脇支持板各々の開放端面を寝床の一方の端面に臨ませたときに、当該差込片を寝床の一方の端面側からベッドと寝床との間に差し込み可能に構成してある。なお、「寝床」とは、横たわる被介護者が下敷きにするもの一切を含み、たとえば、ベッドの上に置かれた、マット、マットカバー、布団、電気敷き毛布等を単独で又は併せて構成したもののことをいう。
【０００６】
請求項１の補助具によれば、補助具を使用する際には、載置部が寝床上にその一方の端面に臨む状態で載置され、載置された載置部は固定部によって寝床上に固定される。使用を終えた際の載置部は、固定部の取り外しにより寝床上から取り外すことができる。両脇支持板は、ヒンジの働きにより背もたれ板に対して開閉する。この開閉が、補助具不使用時の折り畳みを可能にし、使用時のコの字状態を実現する。コの字状態に開いた載置部は、柔らかい寝床に対して僅かに沈むが極端に沈むことはない。この寝床に対する僅かな沈みは寝床に対する載置部の横滑りを防ぐ。他方、載置された載置部は、固定部によって固定される。具体的には、寝床の一方の端面側から寝床とベッドとの間に差し込まれた両差込片が、両支持片を介して両脇支持板（の開放端面）を寝床に対して固定する。ここで、たとえば被介護者の体重が加わることにより、寝床上にある載置部が水平方向に回転させられようとしたとき、上述した載置部全体の沈みによる横滑り防止作用に加え、寝床端面への固定部の引っ掛かりが、その回転を阻止する。また、ベッドの長手方向から見た脇支持板下端とＬ字状固定片とは、寝床を挟んだコの字状になっている。このため、寝床の一方の端面方向に前のめりする方向の力が載置部に働いても、上記Ｌ字状固定片は寝床に押さえられてベッドに対して浮き上がらないから、上記方向の力に打ち勝って載置部を寝床上に安定的に保持する。これとは逆に、反り返り方向の力を載置部が受けても、上記同様の理由からＬ字状固定片の浮き上がりが防止されるから、Ｌ字状固定片は寝床上で同じく安定的に載置部を保持する。両脇支持板に対するもたれ方向の力が加えられた際にも、上記同様のＬ字状固定片の浮き上がり防止作用によって、安定した載置部保持が行われる。以上、説明したように、寝床上に安定載置された載置部は、その背もたれ板が座位する被介護者上半身を背面方向から支え、両脇支持板が同じく左右から支える。さらに、載置部の前のめり、反り返り、さらにまた、横ずれや水平方向回転に対して、これらを確実に防止する。したがって、請求項１の補助具に補助された被介護者は、寝床の一方の縁から一方の端面に沿って足を下ろした状態で寝床上に安定した姿勢で座り続けることができる。
【０００７】
（請求項２記載の考案の特徴）
請求項２記載の考案に係る腰掛姿勢補助具（以下、適宜「請求項２の補助具」という）には、請求項１の補助具の基本構成と同じ構成を備えさせた上で、前記着脱構造各々が、前記脇支持板に対する前記Ｌ字状固定片の少なくとも縦方向相対位置を変更可能に構成してある。縦方向に併せて横方向の相対位置を変更可能に構成することを妨げない。
【０００８】
請求項２の補助具によれば、請求項１の補助具の作用効果に加え、脇支持板に対するＬ字状固定片の縦方向相対位置を変更することができる。縦方向以外の方向の相対位置を併せて変更可能に構成してある場合は、当該方向の相対位置も併せて変更することができる。縦方向相対位置を変更することによって、脇支持板とＬ字状固定片との間の距離を増減することが可能になり、同距離を増減することによって寝床の厚みに合わせた相対位置を設定することができる。また、ある寝床に使用していた補助具を、上記相対位置を調整することにより当該寝床とは異なる厚みの他の寝床にも適切な状態で使用することができる。すなわち、補助具に汎用性を持たすことが可能になる。
【０００９】
（請求項３記載の考案の特徴）
請求項３記載の考案に係る腰掛姿勢補助具（以下、適宜「請求項３の補助具」という）には、請求項１又２の基本構成と同じ構成を備えさせた上で、前記脇支持板各々の幅寸法が、前記背もたれ板の幅寸法よりも短く設定してあり、前記ヒンジ各々の働きによって、当該脇支持板各々と当該背もたれ板の三者が、折り畳み可能に構成してある。
【００１０】
請求項３の補助具によれば、請求項１又は２の補助具の作用効果に加え、上記三者を折り畳み可能に構成したことにより、補助具（載置部）をコンパクト化することができる。載置部から固定部を取り外せば、補助具はさらにコンパクトなものとなる。使用しないときの補助具は邪魔になりやすいので、コンパクト化しておくことにより不使用時の補助具の使い勝手をさらによくすることができる。
【００１１】
（請求項４記載の考案の特徴）
請求項４記載の考案に係る腰掛姿勢補助具（以下、適宜「請求項４の補助具」という）には、請求項３の補助具の基本構成と同じ構成を備えさせた上で、前記背もたれ板の高さ寸法が前記脇支持板各々の高さ寸法よりも余剰部分だけ高く設定してあり、当該余剰部分には、手先を挿入可能な貫通孔を形成してあり、当該背もたれ板と当該両脇支持板とを折り畳んだときに当該貫通孔に手先を挿入可能に構成してある。
【００１２】
請求項４の補助具によれば、請求項３の補助具の作用効果に加え、折り畳んだ状態の載置部が持ち運びやすくなる。すなわち、折り畳んだときの余剰部分は、両脇支持板によって覆われずに上に抜け出した状態にある。そのような状態にある余剰部分には貫通孔が形成されているから、その貫通孔に手先を挿入することができる。手先を挿入できれば、挿入したまま手を持ち上げることによって載置部を吊り下げることができる。すなわち、載置部を片手で簡単に持ち運ぶことができる。
【００１３】
（請求項５記載の考案の特徴）
請求項５記載の考案に係る腰掛姿勢補助具（以下、適宜「請求項５の補助具」という）には、請求項１乃至４いずれかの補助具の基本構成と同じ構成を備えさせた上で、前記脇支持板の開放端面各々には、着脱構造の一方側を設けてあり、当該着脱構造の他方側を有するテーブル板を当該脇支持板各々に着脱可能に構成してある。
【００１４】
請求項５の補助具によれば、請求項１乃至４いずれかの補助具の作用効果に加え、テーブル板を取り付けることによって、その上に、たとえば、食器類やタオル等の身の回り品を載せておくことができるので、たいへん便利である。テーブル板は、不要であれば取り付ける必要はなく、また、使用後に取り外すことができる。したがって、補助具をしまうときに邪魔にならない。
【考案の効果】
【００１５】
本考案によれば、被介護者に楽な座位を提供し得るとともにコンパクトで使い勝手のよい腰掛姿勢補助具を提供することができる。
【考案を実施するための最良の形態】
【００１６】
各図を参照しながら、本考案を実施するための最良の形態（以下、適宜「本実施形態」という）について説明する。図１は、本考案に係る腰掛姿勢補助具（以下、「補助具」という）の使用状況を示す斜視図である。図２は、補助具の斜視図である。図３は、折り畳んだ状態の補助具の斜視図である。図４は、脇支持板とＬ字状固定片とを固定する着脱構造を示す（ａ）正面拡大図、（ｂ）縦断面図である。図５は、付加的機能を設けた補助具の斜視図である。図６は、補助具の使用手順例を示す概略図である。
【００１７】
（補助具の概略構造）
図１乃至４を参照しながら、補助具の概略構造について説明する。補助具１はベッド１０１上の寝床１１１の上に載置して使用するように構成してある。ベッド１０１は、載置台１０３と、載置台１０３を下方から支持する脚部１０５と、から構成されている。つまり、寝床１１１は、ベッド１０１の一部を構成する載置台１０３の上に置かれている。補助具１は、寝床１１１の上に載置する載置部３と、載置部３を寝床１１１に載置状態で取り外し可能に固定する固定部５と、を含めて構成してある。
【００１８】
（載置部の具体的構造）
図１乃至３を参照しながら、載置部３の具体的構造について説明する。載置部３は、背もたれ板１１と、背もたれ板１１の両側にヒンジ１１ｇ，・・を介して取り付けた一対の脇支持板１３，１３と、から概ね構成してある。上記一対の脇支持板１３，１３の一方の脇支持板１３と他方の脇支持板１３とは、同一形状に形成してあり両者異なる点がない。したがって、以下の説明は、一方の脇支持板１３について行い、他方の脇支持板１３の説明は可能な限り省略する（後述するＬ字状固定片１９も同じ）。各ヒンジ１１ｇは、背もたれ板１１に対して各脇支持板１３を開閉可能、かつ、上から見たときの載置部３をコの字状に開かせて寝床１１１上に載置可能、さらには、載置部３全体を折り畳み可能とするためのものである。背もたれ板１１は、矩形部分１１ａと、矩形部分１１ａの上端に形成したアーチ状の余剰部分１１ｂと、を含むが、矩形部分１１ａと余剰部分１１ｂとは、一枚の木製板により構成してある。背もたれ板１１の全体は、標準的な被介護者の体格に合わせ、もたれた被介護者の上半身を支え得る十分な高さ寸法及び幅寸法に形成する。背もたれ板１１の厚み寸法は、寝床に対する沈み具合や全体重量を考慮して定めるとよい。本実施形態では、ほぼ２０ｍｍに設定した。
【００１９】
符号１１ｈは、余剰部分１１ｂを貫通する貫通孔を示す。貫通孔１１ｈは、載置部３を持ち運び等する際に手先を差し入れるための孔である。各脇支持板１３は、背もたれ板１１の矩形部分１１ａとほぼ同じ高さ寸法と、矩形部分１１ａより僅かに短い幅寸法と、を有している。脇支持板１３の高さ寸法を上記のとおり設定したのは、折り畳んだときに脇支持板１３の上端から余剰部分１１ｂ分だけ突き出させ、突き出させることにより上記貫通孔１１ｈに手先を差し入れられるようにするためである。また、幅寸法を上記のとおり設定したのは、ヒンジ１１ｇの開閉機能によって折り畳んだときに、折り畳んだ一方の脇支持板１３の側端を他方の脇支持板１３にまで届かせないようにするためである。届かせないようにしたのは、届かせてしまうと折り畳みに支障が出て、載置部３を十分にコンパクト化できないからである。なお、符号１３ａは、脇支持板１３の開放端面を示す。各脇支持板１３の開放端面１３ａの上端部には、図２に示すように、安全確保のために丸みを形成しておくとよい。
【００２０】
（固定部の具体的構造）
図１、２及び４を参照しながら、固定部について説明する。固定部５は、細長い薄板をＬ字状に屈曲させたＬ字状固定片１９を主要部材として構成してある。Ｌ字状固定片１９は、Ｌ字の縦部分を構成する支持片１９ａと、支持片１９ａの下端から屈曲された差込片１９ｂと、有しており、全体を金属（本実施形態では、アルミニウム）により構成してある。各支持片１９ａの上部には、縦ならびに複数の取付孔１９ｈ，・・を貫通形成してある。各取付孔１９ｈは、小孔１９ｈａと大孔１９ｈｂとを連結させ瓢箪類似の形状に形成してあり、後述する着脱構造１７の一部を構成する。小孔１９ｈａと大孔１９ｈｂの上下方向位置関係は図示のものと逆でもよいし、可能であれば、両者を横方向に並べてもよい。本実施形態におけるＬ字状固定片１９は、上述したようにアルミニウム製の細い薄板により構成してあるが、他の構成の採用を妨げるものではない。ただ、差込片１９ｂは、寝床１１１とベッド１０１の載置台１０３との間に差し込み、そこから抜き取ることのできる形状である必要がある。支持片１９ａは、差込片１９ｂと脇支持板１３とを連結し必要な強度を備えるものであれば、その形状や材質等に何ら制限はない。たとえば、部分的に湾曲したり、幅寸法が変化した支持片、板状ではなくパイプ状に形成した支持片、も十分に使用可能である。
【００２１】
（着脱構造の詳細）
図２及び４を参照しながら、着脱構造１７の詳細について説明する。着脱構造１７は、Ｌ字状固定片１９（支持片１９ａ）を脇支持板１３の開放端面１３ａに取り外しできるように取り付けるためのものである。支持片１９ａに形成した複数の（本実施形態では５個）取付孔１９ｈ，・・は、着脱構造１７の一部を構成する。この点は、前述した。取付孔１９ｈ，・・とともに着脱構造１７を構成する他の部分は、開放端面１３ａに固定した複数（本実施形態では３個）のロック片１３ｐ，・・である。ロック片１３ｐは、図４（ｂ）に示すように、開放端面１３ａに対して直立する支持ピン１３ｐ１と、支持ピン１３ｐ１の頂部に固定した引っ掛け円板１３ｐ２と、から構成してあり、引っ掛け円板１３ｐ２と開放端面１３ａとの間には、支持片１９ａの厚み寸法と同じ若しくは僅かに小さな寸法の間隙１９ｇ（図４（ｂ）参照）を確保してある。間隙１９ｇは、そこに支持片１９ａの一部を受け入れ、受け入れた一部を引っ掛け円板１３ｐ２と開放端面１３ａとにより挟持させるためのものである。この挟持は、Ｌ字状固定片１９全体を脇支持板１３に固定するための機能である。他方、支持ピン１３ｐ１の外径は小孔１９ｈａの内径よりも小さく、引っ掛け円板１３ｐ２の外径は大孔１９ｈｂの内径よりも小さく小孔１９ｈａの内径よりも大きく形成してある。したがって、引っ掛け円板１３ｐ２を大孔１９ｈｂに通過させた後、支持片１９ａを引き下げると大孔１９ｈｂ内にあった支持ピン１３ｐ１が小孔１９ｈａ内に移動する。支持片１９ａは、間隙１９ｇ内を横滑り移動する。支持ピン１３ｐ１が小孔１９ｈａ内にあるとき引っ掛け円板１３ｐ２は小孔１９ｈａを塞ぐ位置にあり支持片１９ａを引っ掛けて支持片１９ａの厚み方向の外れを阻止する。支持片１９ａの上下方向の外れは、引っ掛け円板１３ｐ２と開放端面１３ａとの間の挟持によって阻止される。上記２方向の外れ阻止が相俟って、固定が行われる。固定解除は、上記手順と逆に、支持片１９ａを押し上げることによって行うことができる。取付孔１９ｈ間の間隔は一定にしてあり、これに合わせてロック片１３ｐ間の間隔も一定にしてある。間隔を合わせたことにより、複数（たとえば、３個）の取付孔１９ｈ，・・を同時に同数のロック片１３ｐ，・・に固定し、また、その解除を行うことができる。差込片１９ｂは、支持片１９ａに対して背もたれ板１１方向、つまり、脇支持板１３の下端とＬ字状固定片１９とによってコの字ができる方向に突き出すように、Ｌ字状固定片１９を開放端面１３ａに固定する。
【００２２】
（付加的機能）
図５を参照しながら、本実施形態に適用可能な付加的機能について説明する。この付加的機能とは、座位を保たせるための補助具に持たせた、食器類や身の回り品等を置くためのテーブル機能のことをいう。あくまでも任意の機能である。そのような機能を発揮させるための構造は、次のとおりである。すなわち、これまで説明した載置部３の脇支持板１３，１３の開放端面１３ａと後述するテーブル板２５との間に一対の着脱構造２９，２９を設け、補助具１に対してテーブル板２５を自由に取り付け取り外しできるように構成してある。テーブル板２５は、コの字状に開いた載置部３の両脇支持板１３，１３間の距離よりも長い幅寸法と、テーブルとして必要な奥行き寸法を有するテーブル板本体２６と、テーブル板本体２６の下面に固定した２本のＬ字棒２７，２７と、により構成してある。Ｌ字棒２７，２７同士は、互いに平行に配置してあり、各Ｌ字棒２７は、テーブル板本体２６に固定する固定片２７ａと、固定片２７ａの脇支持板１３側先端から下方に屈曲する差込片２７ｂと、により構成してある。上述した一対の着脱構造２９，２９は、互いに同じ構造を有しているため、以下の説明は、一方の着脱構造についてのみ行う。差込片２７ｂは、着脱構造２９の一方側を構成し、同じく他方側は、次に述べる支持パイプ２３により構成される。支持パイプ２３は、開放端面１３ａに、鉛直方向に固定してあり、上から差込片２７ｂを差し込み抜き取りできるようになっている。差し込まれた差込片２７ｂの付け根、すなわち、固定片２７ａとの間の屈曲部近傍が支持パイプ２３の上端にぶつかって、それ以上差し込むことができなくなる。この状態を左右の着脱構造２９，２９において行うことにより、テーブル板２５が載置部３に固定される。テーブル板２５の取り外しは、上記固定手順と逆の手順で行う。テーブル板２５を取り付けることによって、その上に、たとえば、食器類やタオル等の身の回り品を載せておくことができるので、たいへん便利である。テーブル板２５は、不要であれば取り付ける必要はなく、また、使用後に取り外すことができる。したがって、補助具をしまうときに邪魔にならない。
【００２３】
（補助具の使用手順例）
図１乃至４及び６を参照しながら、補助具の使用手順例を説明する。使用に先立ち、載置部３と固定部５（Ｌ字状固定片１９）とは、取り外しておく。ここで、図６（ａ）に示すように、寝床１１１の上に寝ている被介護者の足元に一方の脇支持板１３を置き、同時に、この一方の脇支持板１３に対して背もたれ板１１をほぼ直角に曲げ被介護者の体に沿って置く。他方の脇支持板１３は、背もたれ板１１の延長線上に置く。すなわち、前者と後二者とにより、寝床１１１上でＬ字を形成する。これで、寝床１１１上への載置部３の載置を完了する。次に、図６（ｂ）に示すように、一方の脇支持板１３に一方のＬ字状固定片１９を取り付ける。具体的には、上記Ｌ字状固定片１９の差込片１９ｂを寝床１１１とベッド１０１の載置台１０３との間に差し込み、支持片１９ａを寝床１１１の一方の端面１１１ａに近づけつつ着脱構造１７を使って、Ｌ字状固定片１９を脇支持板１３に固定する。固定するときは、Ｌ字状固定片１９を引き下げる（脇支持板１３は寝床１１１に支持され動かない）か、その代わりにＬ字状固定片１９を動かないようにして脇支持板１３を持ち上げるようにしてもよい。
【００２４】
次は、被介護者を起こすことを行う。寝床１１１の一方の端面１１１ａに面して立った介護者（図示を省略）は、被介護者の頭を左手で持ち上げながら、同じく足を右手で手前方向に回転させて被介護者を寝床１１１の縁に座らせる。このとき被介護者の両足は、一方の端面１１１ａに沿って下ろした状態にある。ここで、介護者は右手で被介護者の上半身を支えなら左手で他方の脇支持板１３を、矢印で示すように反時計回り方向に回転させ、上から見てコの字の載置部３を形成する（図６（ｃ））。被介護者は、コの字に囲まれた状態で座っている。最後に、他方の脇支持板１３に他方のＬ字状固定片１９を取り付けて、補助具１の設置を完了する。使用後の補助具１は、被介護者の姿勢を保ちつつＬ字状固定片１９，１９を取り外し、さらに、載置部３を寝床１１１の上から取り去ることにより設置解除することができる。
【００２５】
（実施形態特有の効果）
補助具１を使用する際には、載置部３が寝床１１１上にその一方の端面１１１ａに臨む状態で載置され、載置された載置部３は固定部５，５によって寝床１１１上に固定される。使用を終えた際の載置部は、固定部の取り外しにより寝床上から取り外すことができる。コの字状態に開いた載置部３は、柔らかい寝床１１１に対して僅かに沈むが極端に沈むことはない。この寝床１１１に対する僅かな沈みは寝床に対する載置部３の横滑りを防ぐ。他方、載置された載置部３は、固定部５（Ｌ字状固定片１９）によって固定される。具体的には、寝床１１１の一方の端面１１１ａ側から寝床１１１とベッド１０１の載置台１０３との間に差し込まれた両差込片１９ｂ，１９ｂが、両支持片１９ａ，１９ａを介して両脇支持板１３（の開放端面１３ａ）を寝床１１１に対して固定する。ここで、たとえば、被介護者がもたれることによって背もたれ板１１やいずれかの脇支持板１３に力が加えられても、Ｌ字状固定片１９，１９は寝床１１１に押さえられてベッド１０１に対して浮き上がらないから、上記の力に打ち勝って載置部３を寝床１１１上に安定的に保持する。したがって、補助具１に補助された被介護者は、寝床１１１の一方の縁から一方の端面１１１ａに沿って足を下ろした状態で寝床１１１上に安定した姿勢で座り続けることができる。
【００２６】
（各部材の変形可能性）
本実施形態に示した載置部３は、いずれも木製の板によって構成してあるが、載置部の機能を損なわなければ、板以外の板状部材を採用することを妨げない。背もたれ板及び各脇支持板の全部又はいずれかを、図示は省略するが、たとえば、アルミパイプにより構成したフレームと、フレームに囲まれた部分を合成樹脂ベルトを編みこんだメッシュによって構成することができる。さらに、Ｌ字状固定片１９を、本実施形態ではアルミニウム製の単一部材により構成したが、支持片と差込片とを別部材で構成し使用に当たって両者を結合させるように構成してもよい。Ｌ字状固定片を、さらに分割可能にすることにより、コンパクト化を図ることができるからである。また、背もたれ板と両脇支持板とを連結するヒンジ１１ｇを離脱可能に構成することにより、上記三者を別々に収納することが可能になる。収納場所の状況に合わせた収納形態を選択できれば便利だからである。
【図面の簡単な説明】
【００２７】
【図１】本考案に係る補助具の使用状況を示す斜視図である。
【図２】補助具の斜視図である。
【図３】折り畳んだ状態の補助具の斜視図である。
【図４】脇支持板とＬ字状固定片とを固定する着脱構造を示す（ａ）正面拡大図、（ｂ）縦断面図である。
【図５】付加的機能を設けた補助具の斜視図である。
【図６】補助具の使用手順例を示す概略図である。
【符号の説明】
【００２８】
１          補助具
３          載置部
５          固定部
１１          背もたれ板
１１ａ        矩形部分
１１ｂ        余剰部分
１１ｇ        ヒンジ
１１ｈ        貫通孔
１３          脇支持板
１３ａ        開放端面
１３ｐ        ロック片
１３ｐ１      支持ピン
１３ｐ２      引っ掛け円板
１７          着脱構造
１９          Ｌ字状固定片
１９ａ        支持片
１９ｂ        差込片
１９ｇ        間隙
１９ｈ        取付孔
１９ｈａ      小孔
１９ｈｂ      大孔
２３          支持パイプ
２５          テーブル板
２６          テーブル板本体
２７          Ｌ字棒
２７ａ        固定片
２７ｂ        差込片
２９          着脱構造
１０１          ベッド
１０３          載置台
１０５          脚部
１１１          寝床
１１１ａ        端面